(57)【要約】【課題】  鏡筒部の外観側面に配置される類似外形のボタンの誤押しを防止すること。【解決手段】  本体部３と鏡筒部２で構成された撮影装置１で、鏡筒部２が有する撮影レンズの光軸を光軸Ｚとする。本体部３と鏡筒部２の外装が交わる隅部４近傍の鏡筒部２外観側面に配置された第一と第二のボタン５、６で、第一と第二のボタン５、６の操作部の外形は略同一、第一のボタン５は、第一のボタン５の光軸Ｚ方向の幅Ａ以下で隅部から幅Ｅ離れており、第一と第二のボタン５、６は、第一ボタン５の光軸Ｚ方向幅Ａ以下に幅Ｂだけ光軸Ｚ方向にずらして配置されている。第一と第二のボタン５、６は、第一ボタン５の光軸Ｚ方向に垂直方向の幅Ｃ以上に光軸Ｚと垂直方向に幅Ｄずらして配置した。【選択図】  図５
2016024300.tif 000002
【特許請求の範囲】
【請求項１】
本体部３と鏡筒部２で構成された撮影装置であって、鏡筒部２が有する撮影レンズの光軸を光軸Ｚとし、本体部３と鏡筒部２の外装が交わる隅部４近傍の鏡筒部２の外観側面に配置された第一と第二のボタン５、６で、第一と第二のボタン５、６の操作部の外形は略同一であり、第一のボタン５は隅部４から光軸Ｚ方向に幅Ｅで離れており、幅Ｅは第一のボタン５の光軸Ｚ方向の操作部の外形の幅Ａ以下であり（Ｅ≦Ａ）、第一と第二のボタン５、６は、光軸Ｚ方向に幅Ｂだけずらして配置されており、幅Ｂは第一のボタン５の光軸Ｚ方向であって幅Ａ以下であり（Ｂ≦Ａ）、さらに第一と第二のボタン５、６は、光軸Ｚと垂直方向に幅Ｄだけずらして配置されおり、幅Ｄは第一のボタン５の光軸Ｚ方向に垂直方向の幅Ｃ以上である（Ｃ≦Ｄ）ことを特徴とする撮影装置。
【請求項２】
前記鏡筒部２の外観側面において、前記第一と第二のボタン５、６の操作部の外形に第一のボタン５の操作部の外形を外接するように移動させた領域に、第一ボタン５の操作部の外形と略同一形状のボタンの非配置領域Ｆを設けたことを特徴とする、請求項１に記載の撮影装置。
【請求項３】
前記第一と第二のボタン５、６は、前記撮影装置の撮影レンズ変倍駆動あるいはぶれ補正駆動を行うためのボタンであることを特徴とする、請求項１ないし２のいずれか１項に記載の撮影装置。
【発明の詳細な説明】
【技術分野】
【０００１】
本発明は、鏡筒部の外観側面にボタンを有する撮影装置に関する。
【背景技術】
【０００２】
撮影装置には、様々な撮影装置の機能を実行するために、撮影装置の外観に押し込み操作によるボタンを幾つか持つものがある。それらの撮影装置の中で、撮影装置の鏡筒部と本体部が接合されている隅部近傍の鏡筒部の外観側面に、押し込み方向から見たボタン操作部の外形が略同じであるボタンを二つ有する撮影装置が開示されている。
【０００３】
図１は従来の撮影装置の外観図である。
【０００４】
図１（ａ）は従来の撮影装置の斜視図である。
【０００５】
図１（ｂ）は従来の撮影装置の右側面図である。
【０００６】
図１において、１００は従来の撮影装置であり、不図示の撮影手段や画像記録手段や表示手段などを有している。２００は内部に撮影手段を構成するレンズ及びレンズ駆動手段などを有する鏡筒部、３００は内部に画像記録手段や表示手段などを有する本体部、図中破線で示した４００は鏡筒部２００の外観面と本体部３００の外観面の接合部近傍の隅部である。３０１は本体部３００の正面側に設けたグリップであり、撮影装置を使う撮影者が右手を使って撮影装置を確実に保持する目的で設けられている。５００は第一のボタン、６００は第二のボタンで、第一と第二のボタンの押し込み方向から見たボタン操作部の外形は略同一であり、共に前記隅部４００近傍の鏡筒部２００の側面に配置されている。鏡筒部２００に内蔵される不図示の撮影レンズの光軸を光軸Ｚとする。第二のボタン６００は第一のボタン５００を光軸Ｚ中心に所定の角度だけ回転させた位置にある。すなわち第一のボタン５００と第二のボタン６００は光軸Ｚに対して垂直な方向にだけずれて配置されており、光軸Ｚ方向にはずれて配置されていない。
【０００７】
図２は従来の撮影装置１００を撮影者が撮影時に手で保持した状態を表した図である。
【０００８】
図２（ａ）は従来の撮影装置１００を撮影者が撮影時に手で保持した状態を撮影装置１００の正面から見た時の図である。
【０００９】
図２（ｂ）は従来の撮影装置１００を撮影者が撮影時に手で保持した状態を撮影装置１００の右側面から見た時の図である。
【００１０】
図２（ｃ）は従来の撮影装置１００の第一のボタン５００と第二のボタン６００を撮影者左手親指で操作する時の運指方向を表した図である。
【００１１】
図２（ａ）において、図示のように、光軸Ｚを中心に撮影装置１００の矢線上方向を上、下方向を下とする。撮影者は撮影時に、従来の撮影装置１００を、撮影者右手でグリップ３０１を保持し、撮影者左手を鏡筒部２００外装を下方から掴み保持する。
【００１２】
図２（ｂ）において、撮影者は、撮影者左手の親指を、第一のボタン５００、第二のボタン６００を操作するために、隅部４００に沿うように鏡筒部２００側面に置く。
【００１３】
図２（ｃ）において、撮影者が第一のボタン５００、第二のボタン６００を操作する時、撮影者左手親指の運指方向は、図中矢印で表された光軸Ｚに垂直な方向である。撮影者は、左手親指が第一のボタン５００上、又は第二のボタン６００上に来た時に必要に応じてボタンの押し込み操作を行う。すなわち撮影者は撮影者の左手親指を、隅部４００をガイドにして、隅部４００に沿わせて光軸Ｚに垂直方向に動かすだけで、第一のボタン５００と第二のボタン６００を左手親指にほぼ同じ触感でボタンの存在を確認できる。
【００１４】
また、特開２０１２−１９４３９９号公報では、撮影レンズの変倍操作を行う２つのボタンを鏡筒部側面に有する撮影装置の開示がなされている。２つのボタンの操作部は略同一外形である。２つのボタンは広角側と望遠側へ駆動するためのボタンである。広角側へ駆動するボタンは、鏡筒部外観面と本体部外観面の接合部近傍である隅部に近い位置に配置され、望遠側へ駆動するボタンは、広角側へ駆動するボタンに対して光軸方向にだけずれて配置されている。撮影者は、上記鏡筒側面に有る上記２つのボタンを操作する時、撮影者の指を使って操作を行う。
【先行技術文献】
【特許文献】
【００１５】
【特許文献１】特開２０１２−１９４３９９号公報
【発明の概要】
【発明が解決しようとする課題】
【００１６】
図１、図２における従来の撮影装置１００の場合、隅部４００に撮影者左手親指を沿わせて第一のボタン５００と第二のボタン６００を探すことが出来るので、撮影者は目標の無い空間で左手親指でボタン位置を探すのに比べてボタンを探し易い。しかし第一のボタン５００と第二のボタン６００が隅部４００に対して光軸Ｚ方向に同じ位置に有る。そのため、第一のボタン５００と第二のボタン６００の操作部の外形が略同一である場合、撮影者左手親指で触るボタンの触感がほぼ同じとなり、触るだけでは差別化が難しかった。特に撮影者が、撮影装置１００を光軸Ｚ中心に回して構えた時など、第一のボタン５００と第二のボタン６００を間違えて押してしまい、撮影装置が意図しない動作を起こす問題があった。
【００１７】
特開２０１２−１９４３９９号公報においては、２つの撮影レンズ変倍操作ボタンを光軸Ｚ方向にだけずらして配置している。望遠側へ駆動するボタンは、広角側へ駆動するボタンよりも撮影装置本体から離れた鏡筒先端部に配置されている。故に撮影者が、望遠側へ駆動するボタンを押すと、鏡筒先端部がボタン押圧操作によって押されて振れ、撮影手段で取り込む画像がぶれる問題があった。また、２つの撮影レンズ変倍操作ボタンを光軸Ｚ方向にだけずらして配置するので、鏡筒部が光軸Ｚ方向に短い場合、上記２つの変倍操作ボタンを並べて配置させる場所が無く、配置が困難であった。
【課題を解決するための手段】
【００１８】
本体部３と鏡筒部２で構成された撮影装置であって、鏡筒部２が有する撮影レンズの光軸を光軸Ｚとする。本体部３と鏡筒部２の外装が交わる隅部４近傍の鏡筒部２の外観側面に配置された第一と第二のボタン５、６で、第一と第二のボタン５、６の操作部の外形は略同一である。第一のボタン５は隅部４から光軸Ｚ方向に幅Ｅで離れており、幅Ｅは第一のボタン５の光軸Ｚ方向の操作部の外形の幅Ａ以下である（Ｅ≦Ａ）。第一と第二のボタン５、６は、光軸Ｚ方向に幅Ｂだけずらして配置されており、幅Ｂは第一のボタン５の光軸Ｚ方向であって幅Ａ以下である（Ｂ≦Ａ）。さらに第一と第二のボタン５、６は、光軸Ｚと垂直方向に幅Ｄだけずらして配置されおり、幅Ｄは第一のボタン５の光軸Ｚ方向に垂直方向の幅Ｃ以上である（Ｃ≦Ｄ）ことを特徴とする撮影装置。
【発明の効果】
【００１９】
撮影者の指をカメラの鏡筒部と本体部の接合部の隅部に沿わせたままで、２つの類似外観形状ボタンを、２つのボタンの光軸Ｚ方向の配置の違いによる触感だけで確認できるため誤押しを防ぐことが出来る。
【００２０】
さらに、ボタン押圧時の鏡筒部の振れを防ぐことが出来る。
【００２１】
さらに、鏡筒部の光軸Ｚ方向長さが比較的短いものであっても、２つのボタン配置が容易である。
【図面の簡単な説明】
【００２２】
【図１】従来の撮影装置の外観図。（ａ）は従来の撮影装置の斜視図、（ｂ）は従来の撮影装置の右側面図。
【図２】従来の撮影装置１００を撮影者が撮影時に手で保持した状態を表した図。（ａ）は従来の撮影装置１００を撮影者が撮影時に手で保持した状態を撮影装置１００の正面から見た時の図、（ｂ）は従来の撮影装置１００を撮影者が撮影時に手で保持した状態を撮影装置１００の右側面から見た時の図、（ｃ）は従来の撮影装置１００の第一のボタン５００と第二のボタン６００を撮影者左手親指で操作する時の運指方向を表した図。
【図３】本実施例の撮影装置の斜視図。（ａ）は本実施例の撮影装置の前面側斜視図、（ｂ）は本実施例の撮影装置の表示手段収納時の背面側斜視図、（ｃ）は本実施例の撮影装置の表示手段移動時の背面側斜視図。
【図４】撮影装置１を撮影者が撮影時に手で保持した状態を表した図。（ａ）は撮影装置１を撮影者が撮影時に手で保持した状態を撮影装置１の正面から見た時の図、（ｂ）は撮影装置１を撮影者が撮影時に手で保持した状態を撮影装置１の右側面から見た時の図。
【図５】撮影装置１における第一のボタン５と第二のボタン６の配置を表した図。（ａ）は第一のボタン５と第二のボタン６の外観に出ている操作部の外形を表した図、（ｂ）は図５（ａ）の模式図、（ｃ）は第一のボタン５と第二のボタン６を撮影者左手親指で操作する時の運指方向を表した図、（ｄ）は鏡筒部２の外観側面の領域Ｆを表した図。
【図６】本実施例の電気回路図。
【図７】本実施例の電気制御を表したフロー。
【発明を実施するための形態】
【００２３】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００２４】
本実施例の撮影装置の主な外観部に関して図３を用いて説明する。
【００２５】
図３は本実施例の撮影装置の斜視図である。
【００２６】
図３（ａ）は本実施例の撮影装置の前面側斜視図である。
【００２７】
図３（ｂ）は本実施例の撮影装置の表示手段収納時の背面側斜視図である。
【００２８】
図３（ｃ）は本実施例の撮影装置の表示手段移動時の背面側斜視図である。
【００２９】
図３（ａ）で、１は本実施例で用いる撮影装置である。２は鏡筒部で、不図示の複数の撮影レンズ、レンズ変倍駆動手段１２、レンズ焦点駆動手段１３、絞り駆動手段１４、シャッター駆動手段１５、ぶれ補正駆動手段１６、センサー１７などで構成される。不図示のセンサー１７上に撮影レンズを通して外光を集光させている。撮影装置１は、前記センサー１７上に集光させた光情報を光電変換させて画像情報を得ている。３は撮影装置１の本体部である。本体部３には各種ボタンやスイッチなどの不図示の入力手段２２や後述する表示手段９や制御手段２４が具備されている。３ａは本体部３に設けられた撮影者が撮影装置１を右手で保持するためのグリップである。図中破線で表した４は、鏡筒部２と本体部３の接合部近傍の隅部である。隅部４近傍の本体部３側は後述する撮影者左手親指を光軸Ｚ方向に支えるに十分な面を有している。５は第一のボタン、６は第二のボタンで、第一のボタン５と第二のボタン６は隅部４近傍の鏡筒部２の外観側面に配置されている。第一と第二のボタン５、６は鏡筒部２の外観面側から光軸Ｚに垂直な面に沿って押すことによって、第一と第二のボタン５、６の押しこみ方向の対向位置に設けられた不図示のタクトスイッチの押圧を検出する押しボタンスイッチである。第一と第二のボタン５、６の鏡筒部２側面から外観に出ている操作部の押し込み方向から見た外形は略同一である。７はレリーズスイッチであり、レリーズスイッチ７の押し深さによって２つのスイッチ位置が検出できるようになっている。レリーズスイッチ７を浅く押した第一検出位置（ＳＷ１位置）の場合は、前記撮影レンズの合焦駆動を行い、さらに不図示の姿勢検出手段１８によって撮影装置１のぶれ量を検出して撮影レンズのぶれ補正駆動を行う。ぶれ補正方法は、前記のような撮影レンズの一部を移動させる方法や、センサーを移動させる方法など様々あり、方法は問わない。レリーズスイッチ７を深く押した第二検出位置（ＳＷ２位置）の場合は、不図示のシャッター駆動手段１５を用いて、所定時間だけセンサーに外光を露光させることで撮影動作を実行する。露光されて得た画像情報は、不図示の画像処理手段１９により適宜画像処理がなされて、撮影装置１に装着された不図示の記憶媒体２１に記録される。８は主電源スイッチであり、該主電源スイッチ８の操作で撮影装置１の起動や停止を行う。
【００３０】
図３（ｂ）（ｃ）で、９はＬＣＤなどを内蔵した表示手段であり、ヒンジ部１０で撮影装置１に対して、軸Ｘと軸Ｙの２軸に回転可能に連結されている。図３（ｂ）は表示手段９が撮影装置１に収納された状態を示しており、図３（ｃ）は表示手段９が軸Ｘと軸Ｙでそれぞれ回転し、撮影装置１から移動した状態の一例を示している。
【００３１】
図４は撮影装置１を撮影者が撮影時に手で保持した状態を表した図である。
【００３２】
図４（ａ）は撮影装置１を撮影者が撮影時に手で保持した状態を撮影装置１の正面から見た時の図である。
【００３３】
図４（ｂ）は撮影装置１を撮影者が撮影時に手で保持した状態を撮影装置１の右側面から見た時の図である。
【００３４】
図４（ａ）において、図示のように、光軸Ｚを中心に撮影装置１の矢線上方向を上、下方向を下とする。撮影者は撮影時に、撮影装置１を、撮影者右手でグリップ３ａを保持し、撮影者左手を鏡筒部２外装を下方から掴み保持する。
【００３５】
図４（ｂ）において、撮影者は、撮影者左手の親指を、第一のボタン５、第二のボタン６を操作するために、隅部４に沿うように鏡筒部２側面に置く。
【００３６】
図５を用いて光軸Ｚ、隅部４、第一のボタン５、第二のボタン６、の鏡筒部２外観上の詳細な位置関係を説明する。
【００３７】
図５は撮影装置１における第一のボタン５と第二のボタン６の配置を表した図である。
【００３８】
図５（ａ）は第一のボタン５と第二のボタン６の外観に出ている操作部の外形を表した図である。
【００３９】
図５（ｂ）は図５（ａ）の模式図である。
【００４０】
図５（ｃ）は第一のボタン５と第二のボタン６を撮影者左手親指で操作する時の運指方向を表した図である。
【００４１】
図５（ｄ）は鏡筒部２の外観側面の非配置領域Ｆを表した図である。
【００４２】
図５（ａ）（ｂ）は、第一のボタン５と第二のボタン６を光軸Ｚに垂直な面に沿って押し込む方向から見た外観図である。第一のボタン５と第二のボタン６の鏡筒部２側面から外観に出ている操作部の押し込み方向から見た外形は略同一である。第一と第二のボタン５、６の光軸Ｚ方向の幅はＡ、光軸Ｚに垂直方向の幅はＣである。第一のボタン５と第二のボタン６は、撮影者が通常撮影状態で撮影装置１を構えた時に、撮影者左手親指で操作されることを想定して設計されている。幅Ａ、幅Ｃは、大き過ぎると撮影装置１を構えるだけで誤って第一と第二のボタン５、６を押してしまうので、大人の親指の幅以下程度であることが望ましい。第一のボタン５は隅部４から光軸Ｚ方向に幅Ｅだけ離れて鏡筒部２の外観側面に配置されている。第二のボタン６は、第一ボタン５に対して図４（ａ）で示した撮影装置上方向に、光軸Ｚに垂直な面内で幅Ｄだけ離れ、かつ光軸Ｚ方向に幅Ｂだけ離れた鏡筒部２の外観側面に配置されている。図５（ａ）では、第一と第二のボタン５、６の操作部の外形が略同一で略真円形であるので幅Ａと幅Ｃは略同一となる。しかし第一と第二のボタン５、６の操作部の外形が略同一で、真円ではない異形状であっても構わない。図５（ｂ）のように例えば第一と第二のボタン５、６は略だ円形で、幅Ａと幅Ｃが異なっている。第一と第二のボタン５、６の操作部の外形を揃えることで、デザインに統一性が生まれる。
【００４３】
本実施例では、幅Ｅは幅Ａ以下であるＥ≦Ａの関係になっている。幅Ｂも幅Ａ以下のＢ≦Ａの関係になっている。さらに幅Ｄは幅Ｃ以上であるＣ≦Ｄの関係になっている。上記配置にすることで、撮影者は、ボタンを操作する撮影者の左手親指を、隅部４に沿わせたままで、第一と第二のボタン５、６を触れることが出来るようになる。さらに撮影者は、第二のボタン６が第一のボタン５に対して隅部４から光軸Ｚ方向に幅Ｂだけずれていることで、左手親指を隅部４に沿わせて第一のスイッチ５を触った触感と、第二のボタン６を触った触感の違いを確認できる。
【００４４】
上記のような配置にすることで撮影者は第一と第二のボタン５、６を目視して操作しなくても、第一と第二のボタン５、６の左手親指の触感だけで第一と第二のボタン５、６の判断が出来るようになる。
【００４５】
図５（ｃ）において、第一のボタン５は、撮影者左手親指を隅部４に沿わせたままの位置で押し込みが容易に出来る位置にある。第二のボタン６は、撮影者左手親指を隅部４に沿わせて光軸Ｚと垂直方向の幅Ｄだけずらすだけでは押し込み難い位置にある。撮影者が第一のボタン５位置から第二のボタン６を押す位置まで左手親指を運ぶ時は、左手親指を光軸Ｚと垂直な方向に向かって幅Ｄと、さらに光軸Ｚ方向に沿って幅Ｂ動かすことで、第二のボタン６の押し込みが容易に出来るようになる。よって第一と第二のボタン５、６の位置を左手親指で隅部４に沿わせて探る時に、少なくとも第二のボタン６の誤押しを防止することが出来る。
【００４６】
さらに隅部４から光軸Ｚ方向に遠い位置にある第二のボタン６を、第一のボタン５に対して光軸Ｚ方向に直列に並べないことで、鏡筒部２の光軸Ｚ方向の長さが短いものでも第二のボタン６が配置が可能となる。さらに鏡筒部２の先端側でなく鏡筒部２の隅部４近傍で第二のボタン６が押されるので、鏡筒部２のぶれを抑えることも出来る。
【００４７】
また、実施例では第一のボタン５に対して、撮影装置上（図４（ａ）参照）側の第二のボタン６を光軸Ｚ方向の撮影装置１前方にずらして配置している。撮影者が第一と第二のボタン５、６間を左手親指で運指する場合、鏡筒部２を握っている左手親指の向いている向きに略一致させて左手親指を動かせばよい。撮影者は左手親指の運指を無理なく自然に行うことが出来る。
【００４８】
図５（ｄ）において、鏡筒部２側面に破線とハッチングで示した領域Ｆは、第一と第二のボタン５、６外形と略同一形状のボタンの非配置領域である。領域Ｆは、第一のボタン５の操作部の外形を、図５（ｄ）のように第一のボタン５と第二のボタン６の操作部の外形に外接するように、光軸Ｚ方向には回転させないで動かした鏡筒部２側面上での軌跡である。第一と第二のボタン５、６の誤押しを防止するため、鏡筒部２側面上の領域Ｆには、少なくとも第一と第二のボタン５、６と略同一操作部外形のボタンを設けないようにしている。
【００４９】
図６、図７を用いて、本実施例の電気回路と電気制御を説明する。
【００５０】
図６は本実施例の電気回路図である。
【００５１】
図６において、２４は撮影装置１を制御するための制御手段。１１は電池などの電源であり、制御手段２４をはじめ後述する各種駆動手段やセンサー１７等に電力を供給している。１２は鏡筒部２が具備する不図示の撮影レンズの変倍レンズ部を駆動するためのレンズ群、レンズ保持部、モーター、位置検出手段などを有したレンズ変倍駆動手段である。１３は鏡筒部２が具備する不図示の撮影レンズの焦点レンズ部を駆動するためのレンズ群、レンズ保持部、モーター、位置検出手段などを有したレンズ焦点駆動手段である。１４は不図示の撮影レンズに入射する外光量を調整するために撮影レンズ光路内に遮光羽根を出し入れするために、遮光羽根、羽根駆動手段、羽根位置検出手段などを有した絞り駆動手段である。１５は所定時間だけセンサー１７に不図示の撮影レンズからの外光を結像させるために、遮光羽根、羽根駆動手段、羽根位置検出手段を有したシャッター駆動手段である。１６は不図示の撮影レンズの一部を、１８の撮影装置の姿勢検出手段によって得た姿勢情報を用いて動かすことで、不図示の撮影レンズからのセンサーへの結像のぶれを補正するぶれ補正駆動手段である。１９は画像処理手段であり、センサー１７から得た画像情報を適宜保存に適する情報に変換したり、表示手段９で表示するのに適する画像情報に変換する処理回路である。２０は外部記憶媒体２１に制御手段２４を接続させるためのＩ／Ｏコネクタ。２１は撮影装置１に対して着脱可能なＩ／Ｏコネクタ２０に接続される撮影画像などを記録するための記憶媒体。２２は、撮影装置１に対して各種設定情報を入力するためのスイッチやボタンなどの入力手段。２３は制御手段の制御方法などのプログラムが記憶された記憶手段。８は前述した主電源スイッチ。７は前述したレリーズスイッチ。５は前述した第一のボタン、６は第二のボタン。２５は不図示の撮影レンズのぶれ補正幅を拡大させる、ぶれ補正量拡大スイッチである。ぶれ補正量は通常、撮影レンズの移動量が大きくなることでセンサー７に結像される映像の色収差などが悪化しないように、撮影レンズの移動できる最大ふれ幅をあらかじめ決められた小さめの値に設定している。ぶれ補正量拡大スイッチ２５は、動画撮影や望遠時撮影時で、ぶれ補正量拡大スイッチ２５押圧時だけ、ぶれ補正駆動手段１５による不図示の撮影レンズの移動できる最大振れ幅を限界まで拡大させて、ぶれ補正効果を高めるためのスイッチである。レリーズスイッチ７、主電源スイッチ８、第一と第二のボタン５、６、ぶれ補正量拡大スイッチ２５は共に制御手段に繋がっている。
【００５２】
図７は本実施例の電気制御を表したフローである。
【００５３】
各種スイッチの検出や、各種駆動手段の駆動、表示手段９への表示非表示など、制御手段２４で行っている。主電源スイッチ８がＯＮされると（Ｓ００１）、不図示の撮影レンズを通してセンサー１７で得る画像を画像処理手段１９で画像処理しながら表示手段９で表示する（Ｓ００２）。次に主電源スイッチ８の検出（Ｓ００３）を行い、主電源スイッチ８の変化が確認された時は、表示手段９の表示を止め（Ｓ０１１）、フローを終える（Ｓ０１２）。主電源スイッチ８に変化が無い場合は次のステップ（Ｓ００３）に進み、ぶれ補正量拡大スイッチ２５の検出（Ｓ００４）を行う。ぶれ補正量拡大スイッチ２５のＯＮ検出が無い場合は、撮影レンズの移動できる最大ふれ幅をあらかじめ決められた小さな値に設定し（Ｓ００５）次のステップ（Ｓ００７）に進む。逆にぶれ補正量拡大スイッチ２５のＯＮ検出が有る場合は、ぶれ補正量拡大スイッチ２５が押されている間だけ、ぶれ補正駆動手段１６の不図示の撮影レンズの移動できる最大振れ幅を限界まで拡大させて、ぶれ補正効果を高める（Ｓ００６）。
【００５４】
本実施例において、例えば第一のボタン５をレンズ変倍駆動手段１２の広角側（Ｗｉｄｅ側）変倍駆動開始スイッチとして設定し、逆に第二のボタン６をレンズ変倍駆動手段１２の望遠側（Ｔｅｌｅ側）変倍駆動開始スイッチと設定する。第一のボタン５の広角側変倍駆動開始スイッチが押されているかの確認を行う（Ｓ００７）。広角側変倍駆動開始スイッチが押されていると、レンズ変倍駆動手段１２を用いて、不図示の撮影レンズを広角側に変倍駆動を行う（Ｓ００８）。広角側変倍駆動開始スイッチが押されていない場合は、次の第二のボタン６の望遠側変倍駆動開始スイッチが押されているかの確認を行う（Ｓ００９）。望遠側変倍駆動開始スイッチが押されていると、レンズ変倍駆動手段１２を用いて、不図示の撮影レンズを望遠側に変倍駆動を行い（Ｓ０１０）、次のステップ（Ｓ０１３）に進む。望遠側変倍駆動開始スイッチが押されていない場合、レリーズスイッチ７の押しストロークが浅いＳＷ１位置の検出を行う（Ｓ０１３）。ＳＷ１位置の検出が出来ない場合は、主電源スイッチ８の変化の検出ステップ（Ｓ００３）に戻る。レリーズスイッチ７のＳＷ１位置の検出がされた場合、レンズ焦点駆動手段１４を適宜駆動させてセンサー１７上に取り込まれる画像情報のコントラストピーク値から焦点を合わせる合焦駆動を行う（Ｓ０１５）。次に姿勢検出手段１８を用いて、撮影装置１の傾きを検出し（Ｓ０１６）、検出された傾き情報から、ぶれ補正駆動手段１６を用いて不図示の撮影レンズを移動させてセンサー１７に結像する画像のぶれ補正を行い（Ｓ０１７）次のステップ（Ｓ０１８）に進む。前記ぶれ補正駆動を行う時は、前記ぶれ補正拡大スイッチ２５が押されているか否かで、補正量が変わる。
【００５５】
（Ｓ０１８）ではレリーズスイッチ７の押しストロークが深いＳＷ２位置の検出を行う。レリーズスイッチ７のＳＷ２位置の検出がされた場合、絞り駆動手段１４やシャッター駆動手段１５を用いて、撮影レンズの入射光量を適正量まで遮光羽根を移動させ調整する。そして、適正時間だけシャッター用の遮光羽根を開放させてセンサー１７に露光させる（Ｓ０１９）。センサー１７は、露光によって得られた光情報を電気信号に光電変換し、該電気信号を画像処理手段１９を用いて記録に適した画像情報に画像処理する（Ｓ０２０）。前記画像処理によって得られた画像情報はＩ／Ｏコネクタ２０を介して撮影装置１外部の着脱可能な記憶媒体２１に記録される（Ｓ０２１）。さらに記憶された画像をあらかじめ決められた所定時間だけ表示手段９に表示し（Ｓ０２２）、主電源スイッチ８の検出（Ｓ００３）に戻る。レリーズスイッチ７の押しストロークが深いＳＷ２位置の検出が無い場合も主電源スイッチ８の検出（Ｓ００３）に戻る。
【００５６】
上記説明では、広角側変倍駆動開始スイッチを第一のボタン５に、望遠側変倍駆動開始スイッチを第二のボタン６に設定した。しかし、広角側変倍駆動開始スイッチと望遠側変倍駆動開始スイッチを他の入力手段２２に割り振り、第一のボタン５又は第二のボタン６のどちらかを、ぶれ補正量拡大スイッチ２５に機能を割り振っても構わない。
【００５７】
図５で説明したように、本実施例では、撮影者が第一と第二のボタン５、６を目視していない状態で左手親指で第一と第二のボタン５、６位置を探る操作をしても、左手親指の触感で第一と第二のボタン５、６の違いを確認出来る。主電源スイッチ８などは、表示手段９を撮影者が眺めながら操作しなくても、操作上支障が無い。しかし撮影レンズ変倍駆動や撮影レンズのぶれ補正駆動のように、撮影者が表示手段９を眺めながらセンサー１７に結像される撮影画像の変化を確認したい撮影装置の機能がある。図７で説明したように、第一と第二のボタン５、６の機能を、撮影者が表示手段９を眺めながら操作したい撮影装置の機能、例えば前記撮影レンズ変倍駆動や撮影レンズのぶれ補正駆動などに割り当てることで、本実施例を生かす事が出来る。
【符号の説明】
【００５８】
１  撮影装置
２  鏡筒部
３  本体部
３ａ  グリップ
４  隅部
５  第一のボタン
６  第二のボタン
７  レリーズスイッチ
８  主電源スイッチ
９  表示手段
１０  ヒンジ部
１１  主電源
１２  レンズ変倍駆動手段
１３  レンズ焦点駆動手段
１４  絞り駆動手段
１５  シャッター駆動手段
１６  ぶれ補正駆動手段
１７  センサー
１８  姿勢検出手段
１９  画像処理手段
２０  Ｉ／Ｏコネクタ
２１  記憶媒体
２２  入力手段
２３  記憶手段
２４  制御手段
２５  ぶれ補正量拡大スイッチ
１００  従来の撮影装置
２００  鏡筒部
３００  本体部
３０１  グリップ
４００  隅部
５００  第一のボタン
６００  第二のボタン
【図１】
2016024300.tif 000003
【図２】
2016024300.tif 000004
【図３】
2016024300.tif 000005
【図４】
2016024300.tif 000006
【図５】
2016024300.tif 000007
【図６】
2016024300.tif 000008
【図７】
2016024300.tif 000009